(57)【要約】【課題】新たな部品を追加することなく、簡易かつ小型な構成でハーネスの引出口を確実に密封する。【解決手段】光学箱を構成する筐体Ｈと蓋体Ｋの間の隙間を密封する板状体のシール部材Ｐに、切れ込み部を設ける。ハーネスＲ３０をシール部材Ｐの切れ込み部に編み込むように挿通した状態で、それらを筐体Ｈと蓋体Ｋで挟み込むことにより引出口を密封する。【選択図】　図１
2004145181.tif 000002
【特許請求の範囲】
【請求項１】
開口を有する筐体と前記開口をふさぐ蓋体から構成され、走査光学部品を内蔵する光学箱と、
前記筐体と前記蓋体の間に挟装されて前記開口を密封するシール部材と、
前記走査光学部品に接続される一方、前記光学箱に設けられた引出口から装置外部へ引き出されるハーネスと、を備え、
前記シール部材に設けられた孔に前記ハーネスを挿通した状態で、それらを前記筐体と前記蓋体で挟み込むことにより前記引出口を密封することを特徴とする走査光学装置。
【発明の詳細な説明】
【０００１】
【発明の属する技術分野】
本発明は、レーザビームプリンタ・レーザファクシミリ等の電子写真方式の画像記録装置等に用いられる走査光学装置に関するものである。
【０００２】
【従来の技術】
走査光学装置は、光束を出射する光源、この光源から出射される光束を偏向走査する偏向手段、偏向手段からの光束を感光体に結像させる結像手段、光束の書き出し位置を検出するための信号検知センサなどの走査光学部品を有して構成される。これらの走査光学部品は、容器状の筐体と筐体の開口をふさぐ蓋体からなる光学箱の中に内蔵される。
【０００３】
走査光学装置を組み立てる際には、まず筐体内部に走査光学部品を取り付け、最後に筐体の開口に蓋体を取り付けて光学箱を密閉する。このとき、装置外部から塵埃等が侵入し画像品質の低下を招くことを防止するために、筐体と蓋体の間に弾性材料等からなるシール部材を挟み込み、開口を密封する構成が採られることがある。
【０００４】
一方、走査光学部品のなかには、偏向手段を構成するモータや信号検知センサなどの電気部品が含まれる。これらの部品は、装置外部から電源供給と制御信号入力を受ける。それゆえ、走査光学部品に接続されたハーネス（ケーブル）を光学箱の引出口から装置外部へと引き出す必要がある。
【０００５】
このハーネス引き出し用の引出口の密封性を確保するための従来技術としては、たとえば、特許文献１や特許文献２に開示された構成が知られている。特許文献１では、筐体内に設けられた複数の仕切壁を蛇行するようにハーネスを配置することにより、装置外部からの塵埃の侵入を防止している。また、特許文献２では、筐体のハーネス引出口に弾性体を装着することにより防塵している。
【０００６】
【特許文献１】
特開２００１−１０５６５６号公報
【特許文献２】
特開平１１−１３３３３６号公報
【０００７】
【発明が解決しようとする課題】
しかしながら、上記のような従来技術の場合には、下記のような問題が生じていた。
【０００８】
特許文献１の場合は、複数の仕切壁を設け、かつ、ハーネスを蛇行させるために筐体内部に十分なスペースを確保する必要があり、走査光学装置の大型化、ひいてはコストアップを招いてしまう。また、ハーネスを仕切壁の孔に通す作業は煩雑であり、組み立て性を悪化させるという問題もある。さらに、仕切壁の孔はアンダーカットとなるため、光学箱の成形工程が複雑になる。
【０００９】
また、特許文献２の場合は、ハーネス引出口を密封するために新たに弾性体を追加する必要があるため、部品点数の増加およびコストアップを招いてしまう。また、弾性体を保持する構造やスペースを筐体内部に確保する必要があり、走査光学装置の大型化も招いてしまう。
【００１０】
さらに、従来のような密封構造を採用するにあたっては、仕切壁や弾性体のスペースを確保する関係で、ハーネス引出口の設置位置が制限され、設計の自由度を低下させていた。
【００１１】
一方、最近では、走査光学装置の小型化・低コスト化に対する要求が強く、仕切壁や弾性体を設けるスペースを十分に確保できないことも多く、上記密封構造を採用することができない場合もある。
【００１２】
本発明は上記実情に鑑みてなされたものであって、その目的とするところは、新たな部品を追加することなく、簡易かつ小型な構成でハーネスの引出口を確実に密封し得る技術を提供することにある。
【００１３】
【課題を解決するための手段】
上記目的を達成するために本発明の走査光学装置は、開口を有する筐体と前記開口をふさぐ蓋体から構成され、走査光学部品を内蔵する光学箱と、前記筐体と前記蓋体の間に挟装されて前記開口を密封するシール部材と、前記走査光学部品に接続される一方、前記光学箱に設けられた引出口から装置外部へ引き出されるハーネスと、を備え、前記シール部材に設けられた孔に前記ハーネスを挿通した状態で、それらを前記筐体と前記蓋体で挟み込むことにより前記引出口を密封することを特徴とする。
【００１４】
【発明の実施の形態】
以下に図面を参照して、この発明の好適な実施の形態を例示的に詳しく説明する。これらの走査光学装置は、レーザビームプリンタ・複写機・レーザファクシミリなどの電子写真方式の画像形成装置において、レーザ光（光束）を感光体上に走査する露光ユニットに用いられて好適なものである。
【００１５】
なお、以下の実施の形態に記載されている構成部品の寸法、材質、形状、その相対配置などは、特に特定的な記載がない限りは、この発明の範囲をそれらのみに限定する趣旨のものではない。
【００１６】
（第１の実施形態）
図１〜図５を参照して、本発明の第１の実施形態に係る走査光学装置について説明する。
【００１７】
図１は、走査光学装置の構成を示す斜視図であり、蓋体とシール部材の一部を切り欠いて内部構造を図示している。図２は、走査光学装置の構成を示す上視図であり、蓋体を外し、シール部材の一部を切り欠いて内部構造を図示している。図３は、走査光学装置の構成を示す上視図であり、蓋体とシール部材を外して内部構造を図示している。
【００１８】
走査光学装置Ａは、半導体レーザとコリメータレンズを搭載しレーザ光Ｊを出射する光源装置Ｅ、光源装置Ｅから出射されるレーザ光Ｊを線状に集光するシリンドリカルレンズＧ、そのレーザ光Ｊを偏向走査する偏向手段としての偏向走査装置Ｒ、偏向走査装置Ｒからのレーザ光Ｊを感光体（不図示）に結像させる結像手段としての結像レンズＦ１０，Ｆ２０、折返しミラーＭ、書き出し位置を検出するための信号検知センサとしての走査開始信号検出器Ｄ、レーザ光Ｊの一部を走査開始信号検出器Ｄに導く検出器用ミラーＢなどの走査光学部品を有して構成される。
【００１９】
これらの走査光学部品は、上部に開口を有する容器状の筐体Ｈと、筐体Ｈの開口をふさぐ蓋体Ｋとから構成される光学箱に内蔵される。光源装置Ｅは筐体Ｈの壁面に取り付けられ、シリンドリカルレンズＧと偏向走査装置Ｒはレーザ光Ｊの光軸上に位置するように筐体Ｈの底面に配置される。また、偏向走査装置Ｒと感光体の間のレーザ光Ｊの光路内には、結像レンズＦ１０，Ｆ２０、折返しミラーＭ、走査開始信号検出器Ｄおよび検出器用ミラーＢが筐体Ｈの底面などに配置されている。
【００２０】
偏向走査装置Ｒは、光源装置Ｅからのレーザ光Ｊを反射（偏向）するポリゴンミラーＲ１０と、このポリゴンミラーＲ１０を回転駆動してレーザ光Ｊを走査するモータ部Ｒ２０と、偏向走査装置Ｒに電源供給および制御信号入力を行うためのハーネス（ケーブル）Ｒ３０とを有する。ハーネスＲ３０の一端は偏向走査装置Ｒの基板に接続されている。
【００２１】
走査光学装置Ａを組み立てる際には、筐体Ｈの開口から上記各走査光学部品を所定の位置に取り付け、それらをねじ等の固定具あるいは接着等により筐体Ｈの内部に固定する。その後、筐体Ｈの当接部Ｈ１０に弾性材料からなる板状のシール部材Ｐを置き、その上から蓋体Ｋを装着することで走査光学装置Ａが構成される。なお、ハーネスＲ３０の一方の端部は、光学箱に設けられた引出口Ｃから装置外部へと引き出される。
【００２２】
上記構成の走査光学装置Ａの基本的な動作を説明する。光源装置Ｅから発生されたレーザ光ＪはシリンドリカルレンズＧを経て偏向走査装置ＲのポリゴンミラーＲ１０に照射し偏向走査される。その後レーザ光Ｊは結像レンズＦ１０，Ｆ２０を経て折返しミラーＭによって反射され、表層に感光体を有する感光ドラムの表面に結像される。感光ドラムに結像されるレーザ光ＪはポリゴンミラーＲ１０の回転による主走査および感光ドラムの回転による副走査によって静電潜像を形成する。また、ポリゴンミラーＲ１０によって偏向走査されたレーザ光Ｊの一部分は検出器用ミラーＢによって走査開始信号検出器Ｄへ導入され、走査開始信号検出器Ｄの出力信号によって、光源装置Ｅの半導体レーザ（不図示）が書き込み変調を開始する。
【００２３】
次に、走査光学装置Ａの防塵について述べる。画像形成装置の高精細化や高速化に伴い偏向走査装置Ｒはより高速で回転することが求められる。偏向走査装置Ｒの回転速度が高いほど、筐体Ｈと蓋体Ｋの隙間や開口或いは嵌合部を経路として装置外部から塵埃が内部に侵入し易くなる。塵埃が侵入すると走査光学装置内部の走査光学部品を汚染し画像性能を劣化させる。したがって、高精細化・高速化に伴い高い防塵性能が必要とされる。本実施形態の構成においては、筐体Ｈと蓋体Ｋの隙間、および、ハーネスＲ３０の引出口Ｃが重要な密封部位となる。
【００２４】
図４は、シール部材Ｐの構成を示す図である。本実施形態では、同図に示すような、弾性材料からなる板状体のシール部材Ｐで筐体Ｈの開口のほぼ全面を覆い、その上から蓋体Ｋを装着し、筐体Ｈと蓋体Ｋの間にシール部材Ｐを狭装することにより開口（筐体Ｈと蓋体Ｋの隙間）を密封する構造をとる。これにより、高い密封性能を実現することができる。また、シール部材Ｐの構造が単純であるため、作製が容易であり、コスト面でも優れている。
【００２５】
さらに、本実施形態では、このシール部材Ｐによってハーネス引出口Ｃの密封も実現している。
【００２６】
シール部材ＰのうちハーネスＲ３０の引き出し経路となる部分には、複数（本実施形態では４つ）の切れ込み部（孔）Ｐ２０，Ｐ３０，Ｐ４０，Ｐ５０が設けられている。この切れ込み部は、シール部材Ｐの打ち抜き加工の際に、シール部材Ｐの外形や打ち抜き部Ｐ１０等と同時に成形できるので、加工が容易である。
【００２７】
シール部材Ｐを取り付ける際には、まず、ハーネスＲ３０をシール部材Ｐに設けられた切れ込み部Ｐ２０〜Ｐ５０に挿通する。このとき、ハーネスＲ３０をシール部材Ｐの複数の切れ込み部Ｐ２０〜Ｐ５０に交互に編み込むように挿通するとよい（図１参照）。
【００２８】
この状態のシール部材Ｐを筐体Ｈの開口に取り付けると、ハーネスＲ３０の挿通部分が筐体Ｈに設けられた凹形状のガイド部Ｈ２０に位置決めされ、また、ハーネスＲ３０の端部は引出口Ｃに位置決めされる。このように、シール部材Ｐを筐体Ｈに取り付けるだけでハーネスＲ３０の配線経路が自動的に位置決めされるので、ハーネスＲ３０の組み立てを容易に行うことができる。また、ハーネスＲ３０もシール部材Ｐも薄肉であり、ともに蓋体Ｋの面に沿うように配置されるので、光学箱内のスペースを圧迫せず、装置の小型化を図ることも可能である。
【００２９】
その後、ハーネスＲ３０が挿通されたシール部材Ｐの上に蓋体Ｋを重ね、筐体Ｈと蓋体Ｋとでシール部材Ｐを圧接するように挟み込み、蓋体Ｋを固定する。これにより、上述したように、シール部材Ｐは筐体Ｈと蓋体Ｋの間の隙間を全周的に密封するように作用する。そして、これと同時に、ガイド部Ｈ２０の部分では、シール部材Ｐは引出口Ｃを密封するように作用する。つまり、シール部材Ｐは開口の密封手段と引出口Ｃの密封手段を兼ねているのである。
【００３０】
図５に蓋体Ｋを装着した際の引出口近傍の断面図を示す。同図に示すように、筐体Ｈと蓋体Ｋで挟み込まれた際に、シール部材ＰはハーネスＲ３０の一方の面（図中、上面）に圧着する部分と他方の面（図中、下面）に圧着する部分とを有する。したがって、ガイド部Ｈ２０内において、シール部材ＰはハーネスＲ３０の上面側と下面側の両面を同時にシールすることができ、引出口Ｃを確実に密封することが可能となる。
【００３１】
また、シール部材Ｐは、筐体Ｈと蓋体Ｋで挟み込まれた際に、ハーネスＲ３０を屈曲させる。ハーネスＲ３０が屈曲すると、ハーネスＲ３０とハーネスＲ３０に密着する他の部材（シール部材Ｐ，筐体Ｈまたは蓋体Ｋ）との間の隙間も屈曲する。したがって、ラビリンスシールに準じた作用を奏することができ、引出口Ｃをより確実に密封することができる。
【００３２】
以上述べたように、本実施形態の構成によれば、筐体Ｈと蓋体Ｋの隙間を密封するシール部材Ｐを用い、新たな部品を追加することなく、簡易かつ小型な構成でハーネスＲ３０の引出口Ｃを密封することが可能となる。これにより、装置外部から塵埃が侵入することを確実に防止でき、長期にわたって高品質な画像形成を行うことが可能となる。
【００３３】
（第２の実施形態）
図６〜図１０には、本発明の第２の実施形態が示されている。なお、上記第１の実施形態と同一の構成部分については同一の符号を付し、ここでは詳しい説明を省略する。
【００３４】
図６は、本実施形態に係るシール部材Ｐを示す図である。同図に示すように、シール部材Ｐはハーネス引出口Ｃから装置外部へと突出する突出部位Ｐ６０を有しており、この突出部位Ｐ６０にハーネスＲ３０を挿通する孔Ｐ７０が設けられている。突出部位Ｐ６０および孔Ｐ７０は、シール部材Ｐの打ち抜き加工の際に、シール部材Ｐの外形や打ち抜き部Ｐ１０等と同時に成形できるので、加工が容易である。
【００３５】
シール部材Ｐを取り付ける際には、まず図７に示すように、ハーネスＲ３０を孔Ｐ７０に挿通する。そして、図８に示すように、突出部位Ｐ６０の先端部を装置内部側に折り返し、突出部位Ｐ６０でハーネスＲ３０の上面および下面を挟む。
【００３６】
この状態のシール部材Ｐを筐体Ｈの開口に取り付けると、図９に示すように、突出部位Ｐ６０が引出口Ｃから突出し、ハーネスＲ３０が筐体Ｈのガイド部Ｈ２０の部分に位置決めされる。このように、シール部材Ｐを筐体Ｈに取り付けるだけでハーネスＲ３０の配線経路が自動的に位置決めされるので、ハーネスＲ３０の組み立てを容易に行うことができる。
【００３７】
その後、ハーネスＲ３０が挿通されたシール部材Ｐの上に蓋体Ｋを重ね、筐体Ｈと蓋体Ｋとでシール部材Ｐを圧接するように挟み込み、蓋体Ｋを固定する。これにより、上記第１の実施形態と同様、シール部材Ｐは筐体Ｈと蓋体Ｋの間の隙間を全周的に密封するように作用する。そして、これと同時に、ガイド部Ｈ２０の部分では、シール部材Ｐは引出口Ｃを密封するように作用する。つまり、シール部材Ｐは開口の密封手段と引出口Ｃの密封手段を兼ねているのである。
【００３８】
図１０に蓋体Ｋを装着した際の引出口近傍の断面図を示す。同図に示すように、筐体Ｈと蓋体Ｋで挟み込まれた際に、シール部材ＰはハーネスＲ３０の一方の面に圧着する部分と他方の面に圧着する部分とを有する。したがって、ガイド部Ｈ２０内において、ハーネスＲ３０の上面側と下面側の両面を同時にシールすることができ、引出口Ｃを確実に密封することが可能となる。
【００３９】
また、シール部材Ｐは、筐体Ｈと蓋体Ｋで挟み込まれた際に、ハーネスＲ３０を屈曲させる。したがって、上記第１の実施形態と同様、ラビリンスシールに準じた作用を奏することができ、引出口Ｃをより確実に密封することができる。
【００４０】
以上述べたように、本実施形態の構成によれば、筐体Ｈと蓋体Ｋの隙間を密封するシール部材Ｐを用い、新たな部品を追加することなく、簡易かつ小型な構成でハーネスＲ３０の引出口Ｃを密封することが可能となる。これにより、装置外部から塵埃が侵入することを確実に防止でき、長期にわたって高品質な画像形成を行うことが可能となる。
【００４１】
さらに、本実施形態では、引出口Ｃから突出する突出部位Ｐ６０に孔Ｐ７０を設け、この孔Ｐ７０にハーネスＲ３０を挿通し、かつ、突出部位Ｐ６０の先端部を装置内部側に折り返した状態で、それらを筐体Ｈと蓋体Ｋで挟み込む構成にしたので、上記第１の実施形態に比べてガイド部Ｈ２０の幅（厚み）Ｌを小さくしても十分な密封性能を得ることができ、装置の小型化を図ることができる。
【００４２】
なお、本実施形態では、ハーネスＲ３０を挿通する孔Ｐ７０を１つだけ設ける構成としたが、上記第１の実施形態のごとく、複数の孔を設けて、ハーネスＲ３０をそれらの孔に編み込むようにして挿通することも好適である。
【００４３】
以上、本発明の好適な実施形態について例示的に説明したが、本発明はこれらに限定されるものではなく、以下の実施態様を含むものである。
【００４４】
（実施態様１）
開口を有する筐体と前記開口をふさぐ蓋体から構成され、走査光学部品を内蔵する光学箱と、
前記筐体と前記蓋体の間に挟装されて前記開口を密封するシール部材と、
前記走査光学部品に接続される一方、前記光学箱に設けられた引出口から装置外部へ引き出されるハーネスと、を備え、
前記シール部材に設けられた孔に前記ハーネスを挿通した状態で、それらを前記筐体と前記蓋体で挟み込むことにより前記引出口を密封することを特徴とする走査光学装置。
【００４５】
（実施態様２）
前記シール部材は前記引出口から装置外部へと突出する突出部位を有し、
前記孔は前記突出部位に設けられ、
前記孔に前記ハーネスを挿通し、かつ、前記突出部位の先端部を装置内部側に折り返した状態で、それらを前記筐体と前記蓋体で挟み込むことを特徴とする実施態様１記載の走査光学装置。
【００４６】
（実施態様３）
前記シール部材は、板状体であることを特徴とする実施態様１または２記載の走査光学装置。
【００４７】
（実施態様４）
前記シール部材は、前記筐体と前記蓋体で挟み込まれた際に、前記ハーネスの一方の面に圧着する部分と他方の面に圧着する部分を有することを特徴とする実施態様１，２または３記載の走査光学装置。
【００４８】
（実施態様５）
前記シール部材は、前記筐体と前記蓋体で挟み込まれた際に、前記ハーネスを屈曲させることを特徴とする実施態様１〜４のうちいずれかに記載の走査光学装置。
【００４９】
（実施態様６）
前記走査光学部品は、光束を出射する光源、前記光源から出射される光束を偏向走査する偏向手段、前記偏向手段からの光束を感光体に結像させる結像手段を含むことを特徴とする実施態様１〜５のうちいずれかに記載の走査光学装置。
【００５０】
（実施態様７）
前記シール部材に複数の孔を設けて、前記ハーネスを前記シール部材に編み込むように前記複数の孔に挿通することを特徴とする実施態様１〜６のうちいずれかに記載の走査光学装置。
【００５１】
【発明の効果】
以上説明したように、本発明によれば、新たな部品を追加することなく、簡易かつ小型な構成でハーネスの引出口を確実に密封することが可能となる。
【図面の簡単な説明】
【図１】本発明の第１の実施形態に係る走査光学装置の構成を示す斜視図である。
【図２】図１の走査光学装置の構成を示す上視図である。
【図３】図１の走査光学装置の構成を示す上視図である。
【図４】図１の走査光学装置のシール部材の構成を示す図である。
【図５】蓋体を装着した際のハーネス引出口近傍の断面図である。
【図６】本発明の第２の実施形態に係る走査光学装置のシール部材の構成を示す図である。
【図７】図６のシール部材にハーネスを挿通する様子を示す図である。
【図８】図６のシール部材にハーネスを挿通する様子を示す図である。
【図９】図６のシール部材を筐体に取り付けた様子を示す図である。
【図１０】蓋体を装着した際のハーネス引出口近傍の断面図である。
【符号の説明】
Ａ　走査光学装置
Ｂ　検出器用ミラー
Ｃ　引出口
Ｄ　走査開始信号検出器
Ｅ　光源装置
Ｆ１０，Ｆ２０　結像レンズ
Ｇ　シリンドリカルレンズ
Ｈ　筐体
Ｈ１０　当接部
Ｈ２０　ガイド部
Ｊ　レーザ光
Ｋ　蓋体
Ｍ　折返しミラー
Ｐ　シール部材
Ｐ２０，Ｐ３０，Ｐ４０，Ｐ５０　切れ込み部（孔）
Ｐ６０　突出部位
Ｐ７０　孔
Ｒ　偏向走査装置（走査光学部品）
Ｒ１０　ポリゴンミラー
Ｒ２０　モータ部
Ｒ３０　ハーネス
【図１】
2004145181.tif 000003
【図２】
2004145181.tif 000004
【図３】
2004145181.tif 000005
【図４】
2004145181.tif 000006
【図５】
2004145181.tif 000007
【図６】
2004145181.tif 000008
【図７】
2004145181.tif 000009
【図８】
2004145181.tif 000010
【図９】
2004145181.tif 000011
【図１０】
2004145181.tif 000012